(57)【特許請求の範囲】
【請求項１】
複数の入力チャンネルの音声信号に対して、それぞれ音量または音質の調整処理を施す調整過程と、
該調整処理を施した結果をミキシングして出力するミキシング過程と、
前記各入力チャンネル毎に、前記調整過程の前段の第１のメータリングポイントにおける音声信号のレベルと、前記調整過程の後段の第２のメータリングポイントにおける音声信号のレベルとが所定のレベル条件を満たしているかを判定するレベル条件判定過程と、
前記レベル条件判定過程において前記何れかのメータリングポイントについて前記レベル条件が満たされた場合は、該メータリングポイントが属する入力チャンネルに対応付けて警告表示を行う警告表示過程と
を有することを特徴とするミキシング方法。
【請求項２】
前記各入力チャンネルの前記第１のメータリングポイントの音声信号レベルを第１の画面において表示する第１の表示過程と、
前記各入力チャンネルの前記第２のメータリングポイントの音声信号レベルを第２の画面において表示する第２の表示過程と、
前記第１または第２の表示過程を選択する選択過程と
をさらに有し、前記警告表示は、前記第１および第２の画面の双方において表示されることを特徴とする請求項１記載のミキシング方法。
【請求項３】
請求項１または２記載のミキシング方法を実行することを特徴とするミキシング装置。
【請求項４】
請求項１または２記載のミキシング方法を実行するプログラムを記憶したことを特徴とする記録媒体。
【発明の詳細な説明】
【０００１】
【発明の属する技術分野】
本発明は、音声信号のミキシングに用いて好適なミキシング方法、ミキシング装置および記録媒体に関する。
【０００２】
【従来の技術】
従来より、複数の入力チャンネルの音声信号を合成するミキシング装置が知られている。これらミキシング装置においては、各入力チャンネル毎およびミキシング出力毎に、レベルオーバ（クリップ）を警告するクリップランプが設けられているものが多い。近年、ミキシング装置の各入力チャンネル毎にＡＤコンバータを設け、出力チャンネル毎にＤＡコンバータを設け、入出力部分以外は全てデジタル処理を行うデジタルミキシング装置も実用化されている。
【０００３】
【発明が解決しようとする課題】
ところで、デジタルミキシング装置においては、クリップが発生した時に音声信号の劣化が激しくなる。このため、クリップ等が発生した時の原因の究明と対策を迅速に行うべき要請が強い。
この発明は上述した事情に鑑みてなされたものであり、クリップ等の発生原因の究明を迅速に行うことができるミキシング方法、ミキシング装置および記録媒体を提供することを目的としている。
【０００４】
【課題を解決するための手段】
上記課題を解決するため本発明にあっては、下記構成を具備することを特徴とする。なお、括弧内は例示である。
請求項１記載の構成にあっては、複数の（第１，第２，……，第ｋ）入力チャンネルの音声信号に対して、それぞれ音量または音質の調整処理を施す調整過程（入力チャンネル処理部２０１，２０２，……，２０ｋ）と、該調整処理を施した結果をミキシングして出力するミキシング過程（バスライン２４０，２５０）と、前記各入力チャンネル毎に、前記調整過程の前段の第１のメータリングポイントにおける音声信号のレベルと、前記調整過程の後段の第２のメータリングポイントにおける音声信号のレベルとが所定のレベル条件（クリップの発生）を満たしているかを判定するレベル条件判定過程（ステップＳＰ２６，ＳＰ２８，ＳＰ３２，ＳＰ３４）と、前記レベル条件判定過程において前記何れかのメータリングポイントについて前記レベル条件が満たされた場合は、該メータリングポイントが属する入力チャンネルに対応付けて警告表示（Σ表示部３０６の点灯）を行う警告表示過程（ステップＳＰ３０）とを有することを特徴とする。
さらに、請求項２記載の構成にあっては、請求項１記載のミキシング方法において、前記各入力チャンネルの前記第１のメータリングポイントの音声信号レベルを第１の画面において表示する第１の表示過程（ステップＳＰ１４）と、前記各入力チャンネルの前記第２のメータリングポイントの音声信号レベルを第２の画面において表示する第２の表示過程（ステップＳＰ１５）と、前記第１または第２の表示過程を選択する選択過程（ステップＳＰ１３）とをさらに有し、前記警告表示は、前記第１および第２の画面の双方において表示されることを特徴とする。
また、請求項３記載のミキシング装置にあっては、請求項１または２記載のミキシング方法を実行することを特徴とする。
また、請求項４記載の記録媒体にあっては、請求項１または２記載のミキシング方法を実行するプログラムを記憶したことを特徴とする。
【０００５】
【発明の実施の形態】
１．実施形態のハードウエア構成
次に、本発明の一実施形態のデジタルミキシング装置のハードウエア構成を図１を参照し説明する。
図において１０１はアナログ入力ユニットであり、複数チャンネルのマイク入力等に対する複数のヘッドアンプと、これらヘッドアンプの出力信号を多重化しつつデジタル信号に変換するＡＤコンバータとから構成されている。１０２はアナログ出力ユニットであり、多重化された複数出力チャンネルのデジタル信号を各チャンネル毎のアナログ信号に変換するＤＡコンバータによって構成されている。
【０００６】
アナログ出力ユニット１０２の出力信号は、主として、スピーカを駆動するパワーアンプに供給される。１１０は信号処理エンジンであり、アナログ入力ユニット１０１から供給された入力信号に対して、ミキシング処理、エフェクト処理等を施し、その結果をアナログ出力ユニット１０２に供給する。１２０はコンソールであり、ミキシング技術者等のユーザによって操作され、信号処理エンジン１１０におけるミキシング処理、エフェクト処理等の態様を制御する。
【０００７】
ここで、コンサート会場においてこれら構成要素の好適な配置方法について説明しておく。まず、アナログ入力ユニット１０１は、微弱なアナログ信号を伝搬するマイクケーブルをなるべく短くするため、出演者に近い場所、例えば舞台裏等に設けられる。コンソール１２０は、ユーザが音を聞きながら操作する必要があるため、客席中央等に確保されるミキシングブースに設けられる。アナログ出力ユニット１０２は比較的高レベルのアナログ信号を扱い、信号処理エンジン１１０はデジタル信号のみを扱うため、これらの設置場所については比較的制約が少ない。しかし、これらの構成要素をミキシングブースに設けると、ミキシングブースを広くせざるを得ず、結果的に客席数が削られるため、舞台裏等に設けることが好適である。
【０００８】
信号処理エンジン１１０の内部においてインタフェース回路１１１は、同軸ケーブル等を介してアナログ入出力ユニット１０１，１０２との間でデジタル信号をやりとりする。１１２はＤＳＰシステムであり、インタフェース回路１１１を介してアナログ入力ユニット１０１から供給された入力デジタル信号に対してミキシング処理、エフェクト処理等を施し、その結果をインタフェース回路１１１を介してアナログ出力ユニット１０２に供給する。１１３はメモリシステムであり、ＤＳＰシステム１１２のプログラムメモリおよびデータメモリとして用いられる。
【０００９】
１１６はＣＰＵであり、メモリシステム１１５に記憶された制御プログラムに基づいて、インタフェース回路１１４を介してコンソール１２０からのコマンドを受信し、メモリシステム１１３の内容すなわちＤＳＰシステム１１２において実行されるアルゴリズムおよびパラメータを設定する。また、ＣＰＵ１１６は、ＤＳＰシステム１１２におけるアルゴリズムの設定状態や各部の音声信号のモニター信号等をインタフェース回路１１４を介してコンソール１２０に供給する。
【００１０】
次に、コンソール１２０の内部において１２４はパネル部であり、フェーダやスイッチ等の操作子群１２５と、ユーザに対して各種情報を表示する表示器群１２６とから構成されている。また、操作子群１２５には、一般のパーソナルコンピュータと同様のウィンドウ操作を可能とするため、文字入力用のキーボードやマウス等も設けられている。１２３はＣＰＵであり、操作子群１２５の操作内容をインタフェース回路１２１を介して信号処理エンジン１１０に送信するとともに、信号処理エンジン１１０から供給された各種データを表示器群１２６に表示する。１２２はメモリシステムであり、ＣＰＵ１２３のプログラムメモリおよびデータメモリとして用いられる。
【００１１】
２．実施形態のアルゴリズム
次に、本実施形態におけるアルゴリズムの内容を図２を参照し説明する。このアルゴリズムは、図１に示した各ハードウエアおよびソフトウエアによって実現されるものである。図において２０１，２０２，……，２０ｋは入力チャンネル処理部であり、第１，第２，……，第ｋ入力チャンネル毎のエフェクト処理、音量調節、およびパン処理（左右の出力チャンネルへの分配）等を行う。入力チャンネル処理部２０１の内部において２１１はヘッドアンプ、２１２はＡＤコンバータ部であり、これらはアナログ入力ユニット１０１によって実現されている。
【００１２】
２１３はトーンコントロール部であり、音声信号の周波数特性等の調整等を行う。ここで、周波数特性等の指定はコンソール１２０内の操作子群１２５に設けられた操作子において行われ、その操作内容に基づくフィルタリング処理等は信号処理エンジン１１０内のＤＳＰシステム１１２において実行される。２１５はフェーダ操作子であり、上記操作子群１２５の内部に設けられている。２１４は乗算部であり、フェーダ操作子２１５の操作量とトーンコントロール部２１３の出力信号とを乗算する。この乗算部２１４もＤＳＰシステム１１２内の演算処理によって実現される。
【００１３】
２１６はパン処理部であり、左右の出力チャンネルに対する音声信号の配分比を制御する。２１７はステレオスイッチであり、音声信号をステレオ出力するかモノラル出力するかを切り換える。なお、モノラル出力とは、パン処理部２１６の設定内容に拘らず、左右の出力チャンネルへの音声信号の配分比を１：１に設定することである。パン処理部２１６およびステレオスイッチ２１７は、トーンコントロール部２１３と同様に、操作子群１２５に設けられた操作子と、ＤＳＰシステム１１２内の演算処理とによって実現される。以上、入力チャンネル処理部２０１の詳細構成について詳述したが、他の入力チャンネル処理部２０２，……，２０ｋもこれと同様に構成されている。
【００１４】
次に、２４０は左バスラインであり、加算部２４１，２４２，……２４ｋによって入力チャンネル処理部２０１，２０２，……，２０ｋの左出力信号を合成する。同様に、２５０は右バスラインであり、加算部２５１，２５２，……２５ｋによって入力チャンネル処理部２０１，２０２，……，２０ｋの右出力信号を合成する。バスライン２４０，２５０は、ＤＳＰシステム１１２内の演算処理によって実現される。２２０は左出力チャンネル処理部、２３０は右出力チャンネル処理部であり、バスライン２４０，２５０の合成結果に対してエフェクト処理および音量調節を施し、左右の出力チャンネルのＤＡコンバータ部２６０，２７０に供給する。これらＤＡコンバータ部２６０，２７０は、アナログ出力ユニット１０２によって実現される。
【００１５】
左出力チャンネル処理部２２０の内部において２２１はトーンコントロール部であり、上記入力チャンネル処理部２０１内のトーンコントロール部２１３と同様に、左出力信号の周波数特性等の調整等を行う。ここで、周波数特性等の指定はコンソール１２０内の操作子群１２５に設けられた操作子において行われ、その操作内容に基づくフィルタリング処理等は信号処理エンジン１１０内のＤＳＰシステム１１２において実行される。２２３はフェーダ操作子であり、上記フェーダ操作子２１５と同様に操作子群１２５の内部に設けられている。２２２は乗算部であり、フェーダ操作子２２３の操作量とトーンコントロール部２２１の出力信号とを乗算する。この乗算部２２２もＤＳＰシステム１１２内の演算処理によって実現される。そして、右出力チャンネル処理部２３０も、左出力チャンネル処理部２２０と同様に、トーンコントロール部２３１、乗算部２３２およびフェーダ操作子２３３から構成されている。
【００１６】
また、入力チャンネル処理部２０１の内部において、トーンコントロール部２１３の入力端、乗算部２１４の入力端、および乗算部２１４の出力端においては、音声信号のレベルが逐次測定される。これらの測定点をメータリングポイントＭＰ１，ＭＰ２，ＭＰ３と呼ぶ。また、左出力チャンネル処理部２２０の内部においては、トーンコントロール部２２１の入力端、乗算部２２２の入力端、および乗算部２２２の出力端において、音声信号のレベルが逐次測定される。これらの測定点をメータリングポイントＬ１，Ｌ２，Ｌ３と呼ぶ。同様に、右出力チャンネル処理部２３０の内部においては、トーンコントロール部２３１の入力端、乗算部２３２の入力端、および乗算部２３２の出力端において、音声信号のレベルが逐次測定される。これらの測定点をメータリングポイントＲ１，Ｒ２，Ｒ３と呼ぶ。
【００１７】
３．実施形態の動作
３．１．表示処理の概要
次に、本実施形態の動作を説明する。
まず、デジタルミキシング装置を起動して、ユーザが操作子群１２５において所定の操作を行うと、図３に示すようなメータウィンドウが表示器群１２６に表示される。この図において、メータウィンドウは、２枚のタブ付きウィンドウである入力チャンネルメータウィンドウ３０２および出力チャンネルメータウィンドウ３０４から構成されている。各ウィンドウ３０２，３０４の上部には、タブ３０２ａ，３０４ａが各々設けられている。但し、図示の状態では、ウィンドウ３０４はタブ３０４ａの部分を除いて表示器群１２６には表示されていない。
【００１８】
入力チャンネルメータウィンドウ３０２は、入力チャンネル処理部２０１，２０２，……，２０ｋのメータリングポイントを監視するためのものであり、第１，第２，……，第ｋ入力チャンネルに各々対応する複数のレベルメータ３１０が表示されている。これらのレベルメータ３１０は、メータリングポイントＭＰ１，ＭＰ２，ＭＰ３の何れかのレベルをヒストグラム状に表示するものである。３１２，３１４，３１６はメータリングポイント設定スイッチであり、各メータリングポイントＭＰ１，ＭＰ２，ＭＰ３に対応して設けられ、各入力チャンネルにおいて何れのメータリングポイントを監視するのかを択一的に選択するものである。
【００１９】
３１８はピークホールドスイッチであり、各レベルメータ３１０においてピークホールド表示を行うか否かのオン／オフ状態を設定する。ピークホールド表示とは、各レベルメータ３１０におけるピーク値のレベルを継続して表示することをいう（ピーク値表示の継続は、所定の時間内に限ってもよいし、ピークホールドスイッチ３１８をオフとするなど何らかの解除操作がなされるまで継続するようにしてもよい）。通常の使用状態では、ピークホールド表示をオンにしておくと好適である。また、各レベルメータ３１０の上端部を、特にクリップ表示部３０８と呼ぶ。クリップ表示部３０８の上方には、さらにΣ表示部３０６が設けられている。
【００２０】
ここで、クリップ表示部３０８およびΣ表示部３０６について詳述しておく。
何れかのメータリングポイントのレベルが最大値まで達した場合、対応するレベルメータ３１０のクリップ表示部３０８が点灯する。そして、その際にピークホールド表示がオンに設定されていれば、それ以後メータリングポイントのレベルが低下したとしても該クリップ表示部３０８が継続して点灯される。これによって、ユーザはクリップが生じたメータリングポイントを視認することができる。
【００２１】
また、Σ表示部３０６は、対応する入力チャンネルの何れかのメータリングポイントにおいてクリップが生じた時に点灯され、ピークホールド表示がオンになっていれば、それ以後メータリングポイントのレベルが低下したとしても継続して点灯される。例えば、タブ付きウィンドウ３０２において、各入力チャンネルのメータリングポイントＭＰ１がモニタされている状態で、第２入力チャンネルのメータリングポイントＭＰ３にクリップが生じた場合を想定してみる。この場合、何れのレベルメータ３１０においてもクリップは発生していないが、第２入力チャンネルのΣ表示部３０６が点灯表示されることになる。
【００２２】
図３は以上のような状態を想定したものである。図３において、メータリングポイント設定スイッチ３１２，３１４，３１６およびピークホールドスイッチ３１８のうち白抜きになっているものは点灯（オン）状態であることを示す。すなわち、測定点としてメータリングポイントＭＰ１が選択され、ピークホールド表示がオンに設定されている。また、各レベルメータ３１０、クリップ表示部３０８およびΣ表示部３０６においても白抜きの部分は点灯状態であることを示す。
ここで、第２入力チャンネル（ＣＨ２）に着目すると、そのクリップ表示部３０８は消灯状態である。これは、最後にピークホールド表示がオンにされた後、第２入力チャンネルのメータリングポイントＭＰ１においてクリップが生じていないことになる。
【００２３】
その一方、第２入力チャンネルのΣ表示部３０６は点灯状態になっている。これにより、第２入力チャンネルのメータリングポイントＭＰ２またはＭＰ３においてクリップが生じたことになる。次に、図４は、ユーザがメータリングポイントＭＰ３を選択した状態における入力チャンネルメータウィンドウ３０２を示す。この図においても、第２入力チャンネルのクリップ表示部３０８は消灯状態である。
【００２４】
従って、最後にピークホールド表示がオンにされた後、第２入力チャンネルのメータリングポイントＭＰ３においてもクリップが生じていないことになる。次に、ユーザがメータリングポイントＭＰ２を選択した状態における入力チャンネルメータウィンドウ３０２を図５に示す。この図においては、第２入力チャンネルのクリップ表示部３０８は点灯状態である。従って、第２入力チャンネルのΣ表示部３０６は、このメータリングポイントＭＰ２におけるクリップに起因して点灯されたものであることが解る。
【００２５】
次に、メータウィンドウにおいて出力チャンネルメータウィンドウ３０４が表示されている状態を図６に示す。図示のように、同ウィンドウ３０４には、出力チャンネルの各メータリングポイントＬ１，Ｒ１，Ｌ２，Ｒ２，Ｌ３，Ｒ３に対して、レベルメータ３１０，クリップ表示部３０８およびΣ表示部３０６が表示され、入力チャンネルメータウィンドウ３０２の場合と同様に各メータリングポイントのレベルが表示される。図示の例においては、メータリングポイントＬ１にクリップが生じている。そこで、該メータリングポイントＬ１の属する左出力チャンネルについて、全メータリングポイントＬ１，Ｌ２，Ｌ３のΣ表示部３０６が点灯されている。
【００２６】
３．２．ウィンドウ選択ルーチン（図７）
次に、上述した表示処理を実行する具体的な処理について説明する。
まず、デジタルミキシング装置が起動されたデフォルトの状態では、図３に示すように入力チャンネルメータウィンドウ３０２を再前面に表示した状態でメータウィンドウが表示される。その際、コンソール１２０の操作子群１２５に設けられたマウスによってタブ３０２ａ，３０４ａの何れかがクリックされると、図７に示すウィンドウ選択ルーチンが起動される。図において処理がステップＳＰ２に進むと、入力チャンネルの表示が選択されたのか否か（すなわちタブ３０２ａがクリックされたのか否か）が判定される。
【００２７】
ここで「ＹＥＳ」と判定されると、処理はステップＳＰ４に進み、入力チャンネルメータウィンドウ３０２が表示器群１２６に表示される。一方、ステップＳＰ２において「ＮＯ」と判定されると、処理はステップＳＰ６に進み、出力チャンネルメータウィンドウ３０４が表示器群１２６に表示される。このようにウィンドウ３０２，３０４の何れかが表示されると、本ルーチンの処理が終了する。
【００２８】
３．３．入力メータリングポイント選択ルーチン（図８）
次に、入力チャンネルメータウィンドウ３０２が表示されている状態でメータリングポイント設定スイッチ３１２，３１４，３１６の何れかがマウスでクリックされると、図８に示す入力メータリングポイント選択ルーチンが起動される。
図において処理がステップＳＰ１２に進むと、選択されたメータリングポイントがＭＰ１，ＭＰ２，ＭＰ３の何れであるかが判定され、その判定結果に応じて処理が分岐される。
【００２９】
まず、メータリングポイント設定スイッチ３１２がマウスでクリックされた場合、メータリングポイントＭＰ１が選択されたものとして処理はステップＳＰ１４に進む。ここでは、メータリングポイント設定スイッチ３１２が点灯され、各入力チャンネルのメータリングポイントＭＰ１のレベル測定結果に基づいて、レベルメータ３１０およびクリップ表示部３０８の内容が設定される。また、メータリングポイント設定スイッチ３１４または３１６がマウスでクリックされると、処理はステップＳＰ１６またはＳＰ１８に進み、メータリングポイントＭＰ２，ＭＰ３のレベル測定結果に基づいて、レベルメータ３１０およびクリップ表示部３０８の内容が設定される（図４，図５参照）。以上により、本ルーチンの処理が終了する。
【００３０】
３．４．ピークホールド切換ルーチン（図９）
次に、ウィンドウ３０２，３０４の何れかが表示されている状態でピークホールドスイッチ３１８がマウスでクリックされると、図９に示すピークホールド切換ルーチンが起動される。図において処理がステップＳＰ８に進むと、ピークホールドのオンオフ状態が反転され、本ルーチンの処理が終了する。この反転結果においてピークホールドがオン状態になればピークホールドスイッチ３１８が点灯状態にされ、ピークホールドがオフ状態になればピークホールドスイッチ３１８が消灯状態に設定される。
【００３１】
３．５．タイマ割込みルーチン（図１０）
ウィンドウ３０２，３０４の何れかが表示されている状態では、所定時間毎にＣＰＵ１２３にタイマ割込みが発生し、図１０に示すタイマ割込みルーチンが起動される。図において処理がステップＳＰ２２に進むと、入力チャンネルメータウィンドウ３０２が前面に表示中であるか否かが判定される。ここで「ＹＥＳ」と判定されると、処理はステップＳＰ２６に進み、変数（チャンネル番号）ｊに「１」が代入される。次に、処理がステップＳＰ２８に進むと、第ｊ入力チャンネルのメータリングポイントＭＰ１，ＭＰ２，ＭＰ３の何れかにおいてクリップが検出されたか否かが判定される。
【００３２】
ここで「ＹＥＳ」と判定されると、処理はステップＳＰ３０に進み、入力チャンネルメータウィンドウ３０２内の第ｊ入力チャンネルのΣ表示部３０６が点灯状態に設定される。さらに、ステップＳＰ３０においては、クリップが検出されたメータリングポイントの第ｊ入力チャンネルのクリップ表示部３０８が点灯状態に設定される。次に、処理がステップＳＰ３２に進むと、チャンネル番号ｊが最大チャンネル番号ｋに等しいか否かが判定される。ここで「ＮＯ」と判定されると、処理はステップＳＰ３４に進み、チャンネル番号ｊが「１」だけインクリメントされ、処理はステップＳＰ２８に戻る。
【００３３】
一方、第ｊ入力チャンネルにおいて何れのメータリングポイントＭＰ１，ＭＰ２，ＭＰ３についてもクリップが検出されなかった場合は、ステップＳＰ２８において「ＮＯ」と判定され、処理はステップＳＰ３６に進む。ステップＳＰ３６においては、ピークホールド表示がオン状態であるか否かが判定される。ここで「ＮＯ」と判定されると、処理はステップＳＰ３８に進み、第ｊ入力チャンネルのΣ表示部３０６が消灯状態に設定され、さらに第ｊ入力チャンネルのクリップ表示部３０８が消灯状態に設定され、処理はステップＳＰ３２に進む。
【００３４】
一方、ステップＳＰ３６において「ＹＥＳ」と判定されると、ステップＳＰ３８はスキップされ、処理はステップＳＰ３２に進む。従って、ピークホールド表示がオン状態に設定されており、かつ、メータリングポイントＭＰ１，ＭＰ２，ＭＰ３の何れかにおいてクリップが検出された場合には、その後にクリップが検出されなくなったとしても、第ｊ入力チャンネルのΣ表示部３０６および対応するクリップ表示部３０８は継続して点灯状態に設定されることになる。従って、上述したように、ユーザはΣ表示部３０６に基づいて、クリップの発生したメータリングポイントを特定することが可能になる。以後、ステップＳＰ３４を介して、処理対象のチャンネル番号ｊが逐次インクリメントされ、第ｊ入力チャンネルに対するステップＳＰ２８〜ＳＰ３８の処理が繰り返される。そして、全入力チャンネルに対する処理が終了すると、本ルーチンが終了する。
【００３５】
以上、入力チャンネルメータウィンドウ３０２が表示されている場合の処理について説明したが、次に出力チャンネルメータウィンドウ３０４が表示されている場合の処理について説明しておく。ウィンドウ３０４が表示されている場合、ステップＳＰ２２において「ＮＯ」と判定され、処理はステップＳＰ２４に進む。ステップＳＰ２４においては、左右の出力チャンネルに対して、上記ステップＳＰ２８〜ＳＰ３８と同様の処理が実行される。
【００３６】
図６に示す例においては、メータリングポイントＬ１においてクリップが発生した場合を想定している。かかる場合は、上記ステップＳＰ３０と同様の処理が実行されることにより、メータリングポイントＬ１のみならず、図示のようにメータリングポイントＬ２，Ｌ３についてもΣ表示部３０６が点灯状態に設定される。
【００３７】
４．変形例
本発明は上述した実施形態に限定されるものではなく、例えば以下のように種々の変形が可能である。
（１）上記各実施形態はデジタルミキシング装置において本発明を実施した例を説明したが、アナログミキシング装置に本発明を適用してもよいことは言うまでもない。アナログミキシング装置は、例えば図２のブロック図のうちＡＤコンバータ部２１２等、ＤＡコンバータ部２６０，２７０を除去し、各構成要素をアナログ回路で構成することによって実現できる。かかるアナログミキシング装置においても、各メータリングポイントの音声信号レベルをモニタし、各入力チャンネルのメータリングポイントＭＰ１，ＭＰ２，ＭＰ３のクリップ状態を検出し、何れかのメータリングポイントにおいてクリップが検出された場合に当該入力チャンネルに対応するランプ（Σ表示部）を点灯させることにより、上記実施形態と同様の効果を得ることができる。
【００３８】
（２）上記実施形態の制御プログラムは、コンソール１２０内のＣＰＵ１２３において実行されることを想定したものであるが、コンソール１２０に代えて汎用パーソナルコンピュータ等を用いてもよい。その場合に、上述した各制御プログラムをフロッピーディスク、ＣＤ−ＲＯＭ等の記録媒体に格納し、汎用パーソナルコンピュータ用のアプリケーションプログラムとして頒布することができる。
【００３９】
（３）上記実施形態においては、入力チャンネルメータウィンドウ３０２が表示されている状態では、入力チャンネルについてクリップが生じた場合にのみ対応するΣ表示部３０６が点灯され、出力チャンネルメータウィンドウ３０４が表示されている状態では出力チャンネルにクリップが生じた場合にのみ対応するΣ表示部３０６が点灯された。しかし、入力チャンネルメータウィンドウ３０２の表示中に出力チャンネルにクリップが生じた場合、あるいは出力チャンネルメータウィンドウ３０４の表示中に入力チャンネルにクリップが生じた場合においても、その旨がユーザに視認できるようになんらかの警告表示を行ってもよい。
【００４０】
【発明の効果】
以上説明したように本発明によれば、何れかのメータリングポイントにおいてレベル条件が満たされた場合は、該メータリングポイントが属する入力チャンネルに対応付けて警告表示を行うから、クリップ等の発生原因の究明を迅速に行うことができる。
【図面の簡単な説明】
【図１】  本発明の一実施形態のデジタルミキシング装置のブロック図である。
【図２】  上記実施形態において実行されるアルゴリズムのブロック図である。
【図３】  メータリングポイントＭＰ１に対する入力チャンネルメータウィンドウ３０２の表示例を示す図である。
【図４】  メータリングポイントＭＰ２に対する入力チャンネルメータウィンドウ３０２の表示例を示す図である。
【図５】  メータリングポイントＭＰ３に対する入力チャンネルメータウィンドウ３０２の表示例を示す図である。
【図６】  出力チャンネルメータウィンドウ３０４の表示例を示す図である。
【図７】  ウィンドウ選択ルーチンのフローチャートである。
【図８】  入力メータリングポイント選択ルーチンのフローチャートである。
【図９】  ピークホールド切換ルーチンのフローチャートである。
【図１０】  タイマ割込みルーチンのフローチャートである。
【符号の説明】
１０１……アナログ入力ユニット、１０２……アナログ出力ユニット、１１０……信号処理エンジン、１１１……インタフェース回路、１１２……ＤＳＰシステム、１１３……メモリシステム、１１４……インタフェース回路、１１５……メモリシステム、１１６……ＣＰＵ、１２０……コンソール、１２１……インタフェース回路、１２２……メモリシステム、１２３……ＣＰＵ、１２４……パネル部、１２５……操作子群、１２６……表示器群、２０１，２０２，……，２０ｋ……入力チャンネル処理部、２１１……ヘッドアンプ、２１２……ＡＤコンバータ、２１３……トーンコントロール部、２１４……乗算部、２１５……フェーダ操作子、２１６……パン処理部、２１７……ステレオスイッチ、２２０……左出力チャンネル処理部、２２１……トーンコントロール部、２２２……乗算部、２２３……フェーダ操作子、２３０……右出力チャンネル処理部、２３１……トーンコントロール部、２３２……乗算部、２３３……フェーダ操作子、２４０……左バスライン、２４１，２４２，……２４ｋ……加算部、２５０……右バスライン、２５１，２５２，……２５ｋ……加算部、２６０，２７０……ＤＡコンバータ部、３０２……入力チャンネルメータウィンドウ、３０２，３０４……ウィンドウ、３０２ａ，３０４ａ……タブ、３０４……出力チャンネルメータウィンドウ、３０６……Σ表示部、３０８……クリップ表示部、３１０，……，３１０……レベルメータ、３１２，３１４，３１６……メータリングポイント設定スイッチ、３１８……ピークホールドスイッチ。
【図１】
0003705128.tif 000002
【図２】
0003705128.tif 000003
【図３】
0003705128.tif 000004
【図４】
0003705128.tif 000005
【図５】
0003705128.tif 000006
【図６】
0003705128.tif 000007
【図７】
0003705128.tif 000008
【図８】
0003705128.tif 000009
【図９】
0003705128.tif 000010
【図１０】
0003705128.tif 000011